(57)【要約】【課題】本発明は、施工現場に搬入するまであるいは搬入時の際に、基材片に不具合を生じさせることがなく、且つ部屋の床下面積の６０％以上に敷設できる形状を形成することができる床暖房用温水マットを提供することを目的とした。【解決手段】床暖房用温水マット１は、溝１０が形成された複数の基材片３と小根太状部材９を備えた本体部材２と溝１０に取り付けられた放熱管８を有している。小根太上部材９は平行に並べられてエリア３５〜４３を形成し、当該エリア３５〜４３の一部を構成するように基材片３が配されている。基材片３は、少なくとも基本形基材片１１と逆形基材片１２を備えており、長片部１４と短片部１５と双方を繋ぐ繋ぎ部２５により構成されている。基本形基材片１１と逆形基材片１２は、長片部１４に対して短片部１５が合致可能であり、合致した状態の小根太状部材９の方向に沿った長さは、基準寸法の整数倍である。【選択図】図１
2010230284.tif 000002
【特許請求の範囲】
【請求項１】
略平板形状であって表面に溝が形成された本体部材と、前記本体部材の溝に装着された放熱管とを有し、家屋の床仕上げ材と床下地材との間に配される床暖房用温水マットにおいて、
前記本体部材は、複数の小根太状部材が略平行に配されており、当該小根太状部材によって本体部材が複数のエリアに分割されており、
前記本体部材の前記溝が形成された部位は、複数の基材片が平面的に並べられて構成されたものであり、
前記基材片には少なくとも基本形基材片と逆形基材片があり、
前記基本形基材片及び前記逆形基材片は、一つのエリアの一部領域を構成する長片部と、これに隣接するエリアの一部領域を構成し前記長片部よりも全長が短い短片部と、前記長片部と短片部とを繋いでエリアを跨ぐ繋ぎ部を有し、
前記基本形基材片の長片部と前記逆形基材片の短片部及び／又は前記基本形基材片の短片部と前記逆形基材片の長片部とは、合致可能であって、両者を合致させた状態における小根太状部材の方向に沿った長さは、床暖房用温水マットを敷設する室内寸法のいずれかを整数で除した寸法を基準としたとき、当該基準寸法の整数倍であることを特徴とした床暖房用温水マット。
【請求項２】
略平板形状であって表面に溝が形成された本体部材と、前記本体部材の溝に装着された放熱管とを有し、家屋の床仕上げ材と床下地材との間に配される床暖房用温水マットにおいて、
前記本体部材は、複数の小根太状部材が略平行に配されており、当該小根太状部材によって本体部材が複数のエリアに分割されており、
前記本体部材の前記溝が形成された部位は、複数の基材片が平面的に並べられて構成されたものであり、
前記基材片には基本形基材片と逆形基材片と補助基材片があり、
前記基本形基材片及び前記逆形基材片は、一つのエリアの一部領域を構成する長片部と、これに隣接するエリアの一部領域を構成し前記長片部よりも全長が短い短片部と、前記長片部と短片部とを繋いでエリアを跨ぐ繋ぎ部を有し、
前記基本形基材片の長片部と前記逆形基材片の短片部及び／又は前記基本形基材片の短片部と前記逆形基材片の長片部とは、合致可能であって、
前記補助基材片は、一つのエリアの一部を構成して、前記基本形基材片の長片部、前記基本形基材片の短片部、前記逆形基材片の短片部、前記逆形基材片の長片部にいずれとも合致可能であって、
前記基本形基材片と逆形基材片とは床暖房用温水マットの辺部に配置され基本形基材片と逆形基材片の間に前記補助基材片が設けられ、
基本形基材片の長片部と逆形基材片の長片部は共に略長方形であり、小根太状部材の方向に沿った長さを共にＡとし、
基本形基材片の短片部と逆形基材片の短片部は共に略長方形又は略正方形であり、小根太状部材の方向に沿った長さを共にＢとし、
補助基材片は略長方形であり、小根太状部材の方向に沿った長さをＣとし、
本体部材の小根太状部材の方向に沿った長さを共にＹとしたとき、
次の式が成立することを特徴とする床暖房用温水マット。
【数１】
2010230284.tif 000005
【請求項３】
前記基本形基材片の長片部、前記基本形基材片の短片部、前記逆形基材片の短片部、前記逆形基材片の長片部にいずれとも合致可能であって、一つのエリアの一部を構成する補助基材片を有し、
前記基本形基材片と逆形基材片とは床暖房用温水マットの辺部に配置され基本形基材片と逆形基材片の間に前記補助基材片が複数設けられ、
前記基本形基材片と逆形基材片と補助基材片とが合致した状態における小根太状部材の方向に沿った長さが、基準寸法の整数倍であることを特徴とする請求項１に記載の床暖房用温水マット。
【請求項４】
前記基本形基材片の長片部の突端部の辺、前記基本形基材片の短片部の突端部の辺、前記逆形基材片の短片部の突端部の辺、前記逆形基材片の長片部の辺はいずれも小根太状部材に対して垂直であることを特徴とする請求項１乃至３のいずれかに記載の床暖房用温水マット。
【請求項５】
前記基本形基材片及び逆形基材片の繋ぎ部は、長片部及び短片部の中間部分同士を繋ぐものであり、
前記繋ぎ部には、少なくとも２条の溝が設けられ、溝の少なくとも一条は、繋ぎ部から長片部及び短片部の辺部側に延び、溝の少なくとも他の一条は、繋ぎ部から長片部及び短片部の突端側に延びることを特徴とする請求項１乃至４のいずれかに記載の床暖房用温水マット。
【請求項６】
本体部材には、少なくとも１つの温水ヘッダーが備えられ、
前記基本形基材片又は逆形基材片には、長片部に温水ヘッダーが収まる切り欠き部が設けられていることを特徴とする請求項１乃至５のいずれかに記載の床暖房用温水マット。
【請求項７】
本体部材は、熱伝導率が高い放熱シートと補助シートを備え、
放熱シートは、放熱管と本体部材の表面側から覆うように配され、
補助シートは、本体部材の溝面と放熱管との間及び本体部材の表面と放熱シートとの間に配されていることを特徴とする請求項１乃至６のいずれかに記載の床暖房用温水マット。
【発明の詳細な説明】
【技術分野】
【０００１】
本発明は、床暖房用温水マットに関するものである。
【背景技術】
【０００２】
従来から、暖房器具の一つとして住宅を床面から暖房する床暖房装置が提案されている。床暖房装置は、床暖房用温水マットを備えており、当該床暖房用温水マットが建屋の床面側に配置されて床面を暖房する。具体的には、床暖房用温水マットは、温水を循環させる放熱管を有しており、当該床暖房用温水マットがフローリング等の床仕上げ材と床下地材との間に配置され、熱源機で加熱された温水を放熱管内で循環させて住宅を床面から暖房している。
【０００３】
ところで、近年建築されている住宅は、居間や寝室などの用途あるいは戸建てやマンションなどの建物の種類等によって、床面の形も大きさも異なる。即ち、床暖房装置は、住宅の床面に合わせて床暖房用温水マットの大きさや形状を適応させる必要があった。一般的に、床暖房用温水マットの大きさは、敷設する床面の６０％以上、好ましくは７０％以上の面積を占める大きさに設計すると、暖房効率が良いとされている。
【０００４】
ここで、床暖房用温水マットは、放熱管を保持可能な板状の本体部を備えており、当該本体部は複数の基材片を組み合わせて形成されている。そして、各基材片は一般的に断熱効果を高く期待でき、さらに成形し易い発泡ポリエチレンや発泡ポリスチレン等により構成されている。そして、何種類かの大きさ及び形状を有した基材片を製造して、それらの基材片を組み合わせることで、あらゆる住宅の床面に適応できる床暖房用温水マットが提供されている。なお、一般的に、床暖房用温水マットは、予め工場などで基材片などが組み合わされて施工現場内に搬入される。
【０００５】
特許文献１，２に開示された床暖房用温水マットでは、基材片に相当する部材は、いずれも長方形である。
また一般に、床暖房用温水マットを構成する各基材片は、寸法の基準を設けることなく作られている。即ち基材片の各部の寸法は、決まりはなく、床暖房用温水マットは施工現場の床面に近い寸法に複数の基材片を組み合わせて形成されている。
【先行技術文献】
【特許文献】
【０００６】
【特許文献１】特開２００３−２２７６２１号公報
【特許文献２】特開２００６−２２９８３号公報
【発明の開示】
【発明が解決しようとする課題】
【０００７】
そのため、特許文献１，２に記載の床暖房用温水マットは、施工現場に至るまであるいは搬入時に一部の基材片に不具合をもたらす場合があった。
【０００８】
具体的に説明すると、床暖房用温水マットは、温水ヘッダーを備えており、当該温水ヘッダーは外部の熱源機と配管を介して接続されるため、床暖房用温水マットの周端側に配されている。そして、床暖房用温水マットを形成する基材片に放熱管の往き側と戻り側を接続する温水ヘッダーを配するための略長方形の切り欠きが設けられ、当該切り欠き付近に亀裂が生じやすい形状とされている。
【０００９】
ここで特許文献１，２に開示された床暖房用温水マットでは、図９、図１０の様に基材片１００，１０１の形状が長方形であり、当該長方形状の長辺１０２，１０３側に開放される切り欠き１０５，１０６を設けて温水ヘッダーの取り付け部を設けている。
そのため温水ヘッダー部においては、切り欠き１０５，１０６が設けられているために基材片１００，１０１のＷａの有効幅が狭く、亀裂が生じやすい。
【００１０】
それにより、当該基材片は、施工現場に至るまであるいは搬入時に当該部位に亀裂が生じる場合があった。さらに、基材片に亀裂が生じた状態で施工された場合、基材片に配された放熱管の流路がずれて温水が円滑に流通しない懸念があった。
【００１１】
加えて前記した様に、床暖房用温水マットを構成する基材片は、寸法に基準を設けて作られておらず、マット全体の大きさを施工現場の床面積に近くなるように基材片を組み合わせているに過ぎない。そのため、基材片の寸法は、例えば縦１．０ｍ横０．５６１ｍといったサイズや、縦０．５ｍ横０．２５８ｍといったサイズの基材片が使用されている。
これに対して住宅においては、寸，尺，間の単位が標準的に使用されており、建築資材においても当該単位が準用されている。そのため、従来技術においては、部屋の床面の広範囲を占める形状の床暖房用温水マットを製作することが困難であり、部屋の辺部に温水を行き渡らせることが困難であった。
【００１２】
即ち６畳間の部屋であれば、縦２間（１２尺）、横１．５間（９尺）の面積であり、メートル法に換算すると縦３．６４ｍ、横２．７３ｍであり、メートル法に換算すると半端な寸法である。
例えば、６畳間の部屋を長方形の基材片だけ埋める場合、寸法の基準を有さない基材片を用いると、半端寸法の部分を埋め尽くすことができない。即ち、基準寸法を有さない略同形状の長方形の基材片だけで、床暖房用温水マットを製作し、これを床下に設置しても、部屋の床面積の６０％以上、好ましくは７０％以上を埋め尽くすことができない場合がある。
そのため、部屋の辺部に温水を行き渡らせることができず、使用者は部屋の端に行くと床が冷たく、違和感を感じる。
【００１３】
また部屋の辺部に温水を行き渡らせるために、床面を完全に埋め尽くす形状の床暖房用温水マットを製作するためには、隙間部分を埋めるための小片が必要となり、部品の種類が増え、部品の互換性が低下する。
【００１４】
そこで、本発明は、上述した従来技術の問題に鑑み、施工現場に搬入するまであるいは搬入時の際に、基材片に不具合を生じさせることがなく、且つ部屋の床下面積の６０％以上を埋め尽くすことができる形状を形成することができる床暖房用温水マットを提供することを課題とする。
【課題を解決するための手段】
【００１５】
上記課題を解決するための請求項１に記載の発明は、略平板形状であって表面に溝が形成された本体部材と、前記本体部材の溝に装着された放熱管とを有し、家屋の床仕上げ材と床下地材との間に配される床暖房用温水マットにおいて、前記本体部材は、複数の小根太状部材が略平行に配されており、当該小根太状部材によって本体部材が複数のエリアに分割されており、前記本体部材の前記溝が形成された部位は、複数の基材片が平面的に並べられて構成されたものであり、前記基材片には少なくとも基本形基材片と逆形基材片があり、前記基本形基材片及び前記逆形基材片は、一つのエリアの一部領域を構成する長片部と、これに隣接するエリアの一部領域を構成し前記長片部よりも全長が短い短片部と、前記長片部と短片部とを繋いでエリアを跨ぐ繋ぎ部を有し、前記基本形基材片の長片部と前記逆形基材片の短片部及び／又は前記基本形基材片の短片部と前記逆形基材片の長片部とは、合致可能であって、両者を合致させた状態における小根太状部材の方向に沿った長さは、床暖房用温水マットを敷設する室内寸法のいずれかを整数で除した寸法を基準としたとき、当該基準寸法の整数倍であることを特徴とした床暖房用温水マットである。
【００１６】
本発明の床暖房用温水マットは、本体部材が小根太状部材により複数のエリアに分割され、当該エリアに溝が形成された複数の基材片が平面的に並べられて構成されている。即ち、床仕上げ材からの荷重は小根太状部材を介して床下地材に伝導することが可能となるため、基材片には高い剛性力が必要とされない。即ち、工場などで予め組み立てられた床暖房用温水マットを搬送する際に、丸めたり畳んだりして運べるため、作業効率を高くすることができる。また、基材片には、少なくとも基本形基材片と逆形基材片があり、両者は、長片部と短片部と長片部及び短片部を繋いでエリアを跨ぐ繋ぎ部により構成されている。そのため、基本形基材片と逆形基材片とは、長片部に対して短片部、短片部に対して長片部を向き合わせることで、互いに合致することができるため、両者の位置決めがし易い。
【００１７】
また基材片は、短片部と長片部とを有しているので、長片部側に温水ヘッダーを配するための切り欠きを設ければ、基材片に十分な有効幅を確保することができる。
即ち、基材片に温水ヘッダー等に使用される切り欠き等を形成する場合であっても、当該切り欠きを長片部に配することで、切り欠き部近傍の一定以上の剛性を維持できるため、施工現場に搬入するまであるいは搬入時の際に、基材片に亀裂を生じさせることがない。
【００１８】
さらに本発明の床暖房用温水マットでは、基本形基材片の短片部と前記逆形基材片の長片部とを合致させた状態における小根太状部材の方向に沿った長さが、床暖房用温水マットを敷設する室内寸法のいずれかを整数で除した寸法を基準としたとき、当該基準寸法の整数倍となっている。そのため本発明で採用する基材片を使用すると、床面積の６０％以上を占める形状の床暖房用温水マットを製作することができる。従って、従来技術によって作られた基材片で問題となった様な部屋の辺部と床暖房用温水マットとの間に大きな隙間ができるという問題が解消される。
【００１９】
請求項２に記載の発明は、略平板形状であって表面に溝が形成された本体部材と、前記本体部材の溝に装着された放熱管とを有し、家屋の床仕上げ材と床下地材との間に配される床暖房用温水マットにおいて、前記本体部材は、複数の小根太状部材が略平行に配されており、当該小根太状部材によって本体部材が複数のエリアに分割されており、前記本体部材の前記溝が形成された部位は、複数の基材片が平面的に並べられて構成されたものであり、前記基材片には基本形基材片と逆形基材片と補助基材片があり、前記基本形基材片及び前記逆形基材片は、一つのエリアの一部領域を構成する長片部と、これに隣接するエリアの一部領域を構成し前記長片部よりも全長が短い短片部と、前記長片部と短片部とを繋いでエリアを跨ぐ繋ぎ部を有し、前記基本形基材片の長片部と前記逆形基材片の短片部及び／又は前記基本形基材片の短片部と前記逆形基材片の長片部とは、合致可能であって、前記補助基材片は、一つのエリアの一部を構成して、前記基本形基材片の長片部、前記基本形基材片の短片部、前記逆形基材片の短片部、前記逆形基材片の長片部にいずれとも合致可能であって、前記基本形基材片と逆形基材片とは床暖房用温水マットの辺部に配置され基本形基材片と逆形基材片の間に前記補助基材片が設けられ、基本形基材片の長片部と逆形基材片の長片部は共に略長方形であり、小根太状部材の方向に沿った長さを共にＡとし、基本形基材片の短片部と逆形基材片の短片部は共に略長方形又は略正方形であり、小根太状部材の方向に沿った長さを共にＢとし、補助基材片は略長方形であり、小根太状部材の方向に沿った長さをＣとし、本体部材の小根太状部材の方向に沿った長さを共にＹとしたとき、次の式が成立することを特徴とする床暖房用温水マットである。
【００２０】
【数１】
2010230284.tif 000003
【００２１】
本発明の床暖房用温水マットは、基材片に基本形基材片と逆形基材片と補助基材片が採用されている。そして、基本形基材片と逆形基材片は、長片部と短片部と繋ぎ部を有しているため、長片部側に温水ヘッダーを配するための切り欠きを設ければ、基材片に十分な有効幅を確保することができる。
即ち、基材片に温水ヘッダー等に使用される切り欠き等を形成する場合であっても、当該切り欠きを長片部に配することで、切り欠き部近傍の一定以上の剛性を維持できるため、施工現場に搬入するまであるいは搬入時の際に、基材片に亀裂を生じさせることがない。
【００２２】
さらに、本発明の床暖房用温水マットは、基本形基材片と逆形基材片の長片部の小根太状部材に沿った長さをＡとし、基本形基材片と逆形基材片の短片部の小根太状部材に沿った長さをＢとし、補助基材片の小根太状部材に沿った長さをＣとし、本体部材の小根太状部材に沿った長さをＹとしたとき、上記式を満足する。そのため本発明で採用する基材片を使用すると、床面積の６０％以上を占める形状の床暖房用温水マットを製作することができる。従って、従来技術によって作られた基材片で問題となった様な部屋の辺部と床暖房用温水マットとの間に大きな隙間ができるという問題が解消される。
【００２３】
請求項３に記載の発明は、前記基本形基材片の長片部、前記基本形基材片の短片部、前記逆形基材片の短片部、前記逆形基材片の長片部にいずれとも合致可能であって、一つのエリアの一部を構成する補助基材片を有し、前記基本形基材片と逆形基材片とは床暖房用温水マットの辺部に配置され基本形基材片と逆形基材片の間に前記補助基材片が複数設けられ、前記基本形基材片と逆形基材片と補助基材片とが合致した状態における小根太状部材の方向に沿った長さが、基準寸法の整数倍であることを特徴とする請求項１に記載の床暖房用温水マットである。
【００２４】
本発明の床暖房用温水マットは、基本形基材片と逆形基材片の間に配される補助基材片を有し、当該補助基材片は双方の基材片と合致可能である。即ち、本発明によれば、家屋の床面積に合わせて、容易に暖房可能面積を拡大敷設することができる。また、補助基材片は、小根太状部材に沿って配置され、基本形基材片と逆形基材片と補助基材片とが合致した状態における小根太状部材に沿った全体長さが、基準寸法の整数倍にされている。これにより、本発明の床暖房用温水マットは、いずれの家屋においても敷設可能であるため、住宅汎用性の高いマットとして提供できる。
【００２５】
請求項４に記載の発明は、前記基本形基材片の長片部の突端部の辺、前記基本形基材片の短片部の突端部の辺、前記逆形基材片の短片部の突端部の辺、前記逆形基材片の長片部の辺はいずれも小根太状部材に対して垂直であることを特徴とする請求項１乃至３のいずれかに記載の床暖房用温水マットである。
【００２６】
本発明の床暖房用温水マットは、基本形基材片及び逆形基材片が有する長片部と短片部の突端部の辺が小根太状部材に対して垂直であるため、突端部に鋭角部が形成されず、突端部が搬送中などに破損することを防止できる。また、基材片同士の組み立てが容易となり、作業効率を上げることができる。
【００２７】
請求項５に記載の発明は、前記基本形基材片及び逆形基材片の繋ぎ部は、長片部及び短片部の中間部分同士を繋ぐものであり、前記繋ぎ部には、少なくとも２条の溝が設けられ、溝の少なくとも一条は、繋ぎ部から長片部及び短片部の辺部側に延び、溝の少なくとも他の一条は、繋ぎ部から長片部及び短片部の突端側に延びることを特徴とする請求項１乃至４のいずれかに記載の床暖房用温水マットである。
【００２８】
本発明の床暖房用温水マットは、長片部及び短片部の中間部分で繋ぎ部により繋がれており、基材片に形成された溝のうち、少なくとも一条が繋ぎ部から長片部及び短片部の辺端側に延び、少なくとも他の一条が繋ぎ部から長片部及び短片部の突端側に延びた構成を有している。即ち、基本形基材片及び逆形基材片には、溝が隅々まで略均等に形成されるため、放熱管の熱が床仕上げ材を通じて住宅を均等に暖房することができ、暖房効率を下げることがない。
【００２９】
本発明の床暖房用温水マットは、本体部材には、少なくとも１つの温水ヘッダーが備えられ、前記基本形基材片又は逆形基材片には、長片部に温水ヘッダーが収まる切り欠き部が設けられた構成が推奨される。（請求項６）
【００３０】
請求項７に記載の発明は、本体部材は、熱伝導率が高い放熱シート及び補助シートを備え、放熱シートは、放熱管と本体部材の表面側から覆うように配され、補助シートは、本体部材の溝面と放熱管との間及び本体部材の表面と放熱シートとの間に配されていることを特徴とする請求項１乃至６のいずれかに記載の床暖房用温水マットである。
【００３１】
本発明の床暖房用温水マットは、放熱シートにより放熱シートの表側の熱を回収でき、さらに補助シートにより溝面側の放熱管の熱を回収できるため、熱効率を上げることが可能である。即ち、本発明によれば、省エネルギーを伴った熱効率が高い床暖房用温水マットを提供できる。
【発明の効果】
【００３２】
本発明の床暖房用温水マットでは、長片部と短片部を有する基本形基材片と逆形基材片により本体部材の一部が構成されており、長片部と短片部を合致させた状態が基準寸法の整数倍であるため、住宅の床面積の６０％以上を占める形状に形成できる。さらに、切り欠き形成などにより本体部材の一部を取り除く場合であっても、当該切り欠きを長片部に配することで一定以上の剛性力を維持することが可能となる。
また本発明の床暖房用温水マットは部品の互換性が高い。
【図面の簡単な説明】
【００３３】
【図１】本発明の床暖房用温水マットを示す斜視図である。
【図２】図１の床暖房用温水マットのＡ−Ａ断面図である。
【図３】図１の床暖房用温水マットを示す平面図である。
【図４】（ａ），（ｂ）は本実施形態に採用された基本形基材片を示す斜視図で、（ｃ）は本実施形態に採用された逆形基材片を示す平面図である。
【図５】（ａ）〜（ｃ）は本実施形態に採用された補助基材片を示す平面図である。
【図６】本発明の変形例を示す平面図である。
【図７】本発明の別の変形例を示す平面図である。
【図８】本発明のさらに別の変形例を示す平面図である。
【図９】特許文献１に開示された床暖房用温水マットを示す平面図である。
【図１０】特許文献２に開示された床暖房用温水マットを示す平面図である。
【発明を実施するための形態】
【００３４】
以下に、本発明を実施するための好ましい実施形態について、図面を参照にしながら詳細に説明する。なお、特に断りがない限り、図面に示したＸ方向とＹ方向を基準とする。
【００３５】
本実施形態の床暖房用温水マット１は、図１に示す様に、本体部材２に取り付けた放熱管８内を循環する温水の熱を用いて暖房するものである。具体的には、図２に示す様に、床暖房用温水マット１は、フローリング等の床仕上げ材６１の下部に配され、根太６３に支持された床下地材６２に用いられる構造用合板の上部に位置し、住宅の床面から暖房している。なお、根太６３同士の間で床下地材６２の下部には断熱材６５が設けられ、室内を保温している。
【００３６】
本実施形態の床暖房用温水マット１は、図１に示す様に、本体部材２と放熱管８で構成されている。
【００３７】
本実施形態の床暖房用温水マット１は、３畳敷の日本家屋の部屋に敷設されるものである。対象とする部屋は、壁間の寸法が、縦１．８２ｍ、横２．７３ｍである。畳の大きさが所謂三六間である。
本実施形態の床暖房用温水マット１は、部屋の形状に合致するものであり、縦方向の長さが１８１８ｍｍ、横方向の長さが２６８２ｍｍである。
本実施形態では、基準寸法は、壁間の縦寸法を整数で除した寸法であり、３０３ｍｍである。
【００３８】
本体部材２は、複数の基材片３と小根太状部材９と放熱シート２２と補助シート２６を備えたものである。
【００３９】
小根太状部材９は、図３に示す様に、棒状部材で小根太状長片部５と小根太状長片部５より長手方向長さ（Ｙ方向長さ）が短い小根太状短片部６が一定間隔を有して略平行に直線状に配され、複数のエリアを形成するものである。そして、小根太状部材９は、図２に示す様に、床仕上げ材６１に生じる荷重を床下地材６２や根太６３に伝導させるためのものである。即ち、床仕上げ材６１に生じる荷重を根太６３等の支持部材に均等に分散させるために、小根太状部材９の幅ｔ（３０〜５０ｍｍ）及び高さｈ（１０〜１５ｍｍ）が略一定にされている。本実施形態では、小根太状部材９にＪＡＳ規格の普通合板１類が採用されており、小根太状部材９の幅ｔが４５ｍｍ、高さｈが１２ｍｍとされている。
【００４０】
複数の基材片３は、合成樹脂で構成された断熱部材であり、高さが前記した小根太状部材９と同じ高さｈ（１２ｍｍ）とされており、組み合わせた全体形状が方形の板体である。そして、小根太状部材９により形成されたエリアを充填するように基材片３が配されている。なお、合成樹脂の具体例として、発泡ポリスチレン，発泡ポリスチレンと発泡ポリエチレンとの混合物，発泡ポリプロピレン，硬質ポリウレタン，発泡硬質ゴムなどが挙げられるが、本発明はこれらに限定されるわけではない。なお、本実施形態では、基材片３に発泡倍率が２０倍の発泡ポリスチレンが採用されている。即ち、基材片３を介して床下地材６２側に放熱されることは殆どない。
【００４１】
基材片３には、平面視した形状が略Ｌ字状の基本形基材片１１ａ，１１ｂと、基本形基材片１１ａ，１１ｂと鏡像で勝手違いの関係である逆形基材片１２と、直線状の補助基材片１３（端部基材片２９ａ，２９ｂと中間基材片３０）がある。各基材片３の表面には後述する放熱管８が保持される溝１０が４条ずつ形成されている。溝１０は底部に向かって狭幅となる段部４５を備えており、段部に後述する放熱管８が挟持される。本実施形態では、本体部材２は、２種類の基本形基材片１１ａ，１１ｂと、１種類の逆形基材片１２と、３種類の補助基材片１３が組み合わされて形成されている。
【００４２】
基本形基材片１１ａは、図４（ａ）に示す様に、表面ｐと裏面（図示しない）を繋ぐように外側面ｊ，ｋと、内側面ｅ，ｆと、当該外側面ｊと内側面ｅを繋ぐ端面ｒと、外側面ｋと内側面ｆを繋ぐ端面ｓが設けられている。具体的には、外側面ｊと内側面ｅと端面ｓは互いに平行で、外側面ｋと内側面ｆと端面ｒは互いに平行であり、外側面ｊの一方の端部と内側面ｅの一方の端部が端面ｒで繋がれ、外側面ｋの一方の端部と内側面ｆの一方の端部が端面ｓと繋がれている。そして、外側面ｊの他方の端部と外側面ｋの他方の端部が繋がれ、内側面ｅの他方の端部と内側面ｆの他方の端部が繋がれている。
【００４３】
なお、外側面ｊのＹ方向長さは、内側面ｅと端面ｓのＹ方向長さの合計に等しく、外側面ｋのＸ方向長さは、内側面ｆと端面ｒのＸ方向長さの合計に等しい。換言すると、外側面ｊは内側面ｅよりＹ方向長さが長く、外側面ｋは内側面ｆよりＸ方向長さが長い。また、本実施形態では、端面ｒのＸ方向長さは、内側面ｆのＸ方向長さから小根太状長片５の幅ｔを除いた長さと等しく設計されており、本実施形態では、内側面ｆのＸ方向長さが３０３ｍｍに設計されている。さらに、外側面ｊのＹ方向長さＡと端面ＳのＹ方向長さＢとの合計は、６０６ｍｍとされており、基準寸法の整数倍を満足させる。
【００４４】
また、外側面ｋ側には、表裏面に貫通した小切り欠き部２０が設けられている。小切り欠き部２０は、幅（Ｘ方向長さ）及びＹ方向長さが小根太状短片６の幅ｔ及びＹ方向長さと略同じ長さであり、互いに平行な２面の切り欠き形成面２１ａ，２１ｂと、双方の切り欠き形成面２１ａ，２１ｂを外側面ｋと対向する位置に配された連結面２７で構成されている。
【００４５】
また、小切り欠き部２０は、切り欠き形成面２１ａが基本形基材片１１ａの内側面ｅの延長上に位置している。これにより、内側面ｆと連結面２７の間は極端に間隔が狭くなるが、基本形基材片１１ａの小切り欠き部２０に小根太状短片６が嵌め込まれて小切り欠き部２０の開口が充填されるため、小切り欠き部２０から亀裂が生じたり、破壊されることを防止できる。
【００４６】
また、基本形基材片１１ａの表面ｐには、４条のＪ型溝（溝１０）１７が設けられ、いずれのＪ型溝１７も隣接する別のＪ型溝１７と間隔を空けながら端面ｒと内側面ｆを貫通するように配されている。即ち、Ｊ型溝１７は、直線部１８と屈曲部１９を有し、直線部１８では一定の間隔を維持して延伸され、屈曲部１９では間隔を変化させて互いに接することなく延伸されて形成されている。また、小切り欠き部２０の連結面２７と内側面ｆで挟まれた部位を通過したＪ型溝１７は、内側面側の２条がそのまま突端部に延び、外側面側の２条が一旦外側面側に蛇行してから突端側に延びる形状である。即ち、基本形基材片１１ａの表面Ｐ内にＪ型溝１７が略均等に配された構成であるため、床仕上げ面４１側で暖房効率を低下させることはない。なお、Ｊ型溝１７は、端面ｒと内側面ｆにおいて、隣接する溝１０同士の間隔が等間隔にされている。
【００４７】
また、見方を変えて説明すると、基本形基材片１１ａは、端面ｒを突端部とする長片部１４と、内側面ｆを突端部とする短片部１５と、長片部１４と短片部１５の両者を接続する繋ぎ部２５により構成されている。即ち、長片部１４は、端面ｒと、外側面ｊと、外側面ｋと、切り欠き形成面２１ａと、内側面ｅにより形成される長方形体であり、短片部１５は、切り欠き形成面２１ｂと外側面ｋと、端面ｓと、内側面ｆにより形成される長片部１４よりＹ方向長さが短い長方形体である。そして、連結面２７と内側面ｆに挟まれて、長片部１４と短片部１５との中間部分同士を繋ぐように繋ぎ部２５が設けられている。
【００４８】
また、基本形基材片１１ａは、長片部１４が小根太状部材９により形成されたいずれかのエリアの一部の領域を構成し、短片部１５が当該エリアの右に隣接するエリアの一部の領域を構成し、繋ぎ部２５をＹ方向上下から挟むように小根太状部材９を配するため、部材点数を抑えた構成となり、作業効率を向上させることができる。また、小根太状部材９に沿って配置させた場合、長片部１４の長さ（外側面ｊのＹ方向長さ）Ａと短片部１５の長さ（内側面ｓのＹ方向長さ）Ｂの合計長さは、基準寸法の整数倍を満足させる構成であるため、住宅汎用性の高い基材片３を提供することができる。
【００４９】
基本形基材片１１ｂは、図４（ｂ）に示す様に、前記した基本形基材片１１ａと略同じ構成であるが、長片部１４における溝１０の屈曲部１９の形状が若干異なり、さらに小切り欠き部２０の他に公知の温水ヘッダー７が配される大切り欠き部２８を有している点が異なる。以下重複内容は説明を省略し、先に説明した部材と同一の場合は同一の番号を付する。
大切り欠き部２８は、基本形基材片１１ｂの内側面ｅの延長上に配された小切り欠き部２０を形成する切り欠き形成面２１ａと外側面ｊとの間に設けられている。具体的には、大切り欠き部２８は、長片部１４の外側面ｋ側に設けられ、基本形基材片１１ｂの表裏面を貫通しており、大切り欠き部２８の幅（Ｘ方向長さ）及びＹ方向長さが小切り欠き部２０の幅（Ｘ方向長さ）及びＹ方向長さより大きく設計されている。本実施形態では、大切り欠き部２８は、公知の温水ヘッダー７が収容できる程度で、Ｙ方向長さが１００〜１５０ｍｍとされている。また、外側面ｊ，ｋ側の３条のＪ型溝１７は、大切り欠き部２８により２つに分断されている。
【００５０】
ここで、大切り欠き部２８と小切り欠き部２０を比較すると、小切り欠き部２０は小根太状短片部６が嵌め込まれるため、先に説明した様に、小切り欠き部２０から亀裂が生じたり、破損することはない。一方、大切り欠き部２８は、切り欠き内に温水ヘッダー７が配されるに過ぎず、小根太状短片６のように大切り欠き部２８内部を満たす部材が存在しないため、衝撃などにより亀裂が生じ破損しやすい。しかしながら、先に説明した様に、従来技術では、各基材片が方形とされており、Ｙ方向長さを１尺（３０３ｍｍ）に固定して設計されていたため、大切り欠き部近傍のＹ方向の長さ（１５３〜２０３ｍｍ）が短くなり、設計上の制約となっていた。
【００５１】
そこで、本発明によれば、大切り欠き部２８を設ける基材片３を基本形基材片１１ｂとし、さらに基本形基材片１１ｂの最大Ｙ方向長さを一定の範囲内（３５３〜４００ｍｍ）で設計可能とした。本実施形態では、前記したように、基本形基材片１１ｂの外側面ｊのＹ方向長さＡと端面ｓのＹ方向長さＢの合計が６０６ｍｍを満足すればよく、外側面ｊのＹ方向長さＡと端面ｓのＹ方向長さＢのそれぞれを建築の基準寸法（寸，尺等）に合わせる必要性がない。これにより、本発明では、基本形基材片１１ｂの長片部１４に設けられた大切り欠き部２８よりＹ方向上部の長さを一定以上（２０３〜３００ｍｍ）確保することが可能となり、破損しにくい基材片３を提供できる。なお、基本形基材片１１ｂで採用されたＹ方向長さＡ及びＹ方向長さＢは、基本形基材片１１ａ及び後述する逆形基材片１２に準用する必要がある。
【００５２】
逆形基材片１２は、図４（ｃ）に示す様に、前記した基本形基材片１１ａと略同じ構成であり、位置関係のみが異なるものである。即ち、基本形基材片１１ｂは、基本形基材片１１ａを端面ｒに対して鏡像の配置にした構成を有している。言い換えれば、基本形基材片１１と逆形基材片１２は勝手違いの関係である。
【００５３】
直線状の補助基材片１３は、端部基材片２９ａ，２９ｂと、中間基材片３０が採用されている。
端部基材片２９ａは、基本形基材片１１及び逆形基材片１２の短片部１５の大きさと等しい。即ち、端部基材片２９ａは、Ｙ方向長さが基本形基材片１１及び逆形基材片１２の短片部１５のＹ方向長さＢと等しく、幅（Ｘ方向長さ）が当該短片部１５のＸ方向長さに等しい（繋ぎ部２５のＸ方向長さを含まない）。
【００５４】
また、端部基材片２９ａの表面ｑには、４条の溝１０が２つのＵ字を描いたＵ型溝３１が設けられている。具体的には、４条の溝１０は、端部基材片２９ａの一方のＹ方向端部側では端部基材片２９ａの側面を貫通し、他方のＹ方向端部側では端部基材片２９ａの側面を貫通することなく外側の溝１０と内側の溝１０が円弧を形成している。なお、端部基材片２９ａのＹ方向一方の端部側において、隣接する溝１０同士の間隔は等間隔に配されている。即ち、端部基材片２９ａのＵ型溝３１と基本形基材片１１及び逆形基材片１２のＪ型溝１７は、連通可能である。
【００５５】
端部基材片２９ｂは、前記した端部基材片２９ａと略同様であり、端部基材片２９ｂのＹ方向長さ及びＵ型溝３２の円弧の描き方が異なる。以下重複内容は説明を省略し、先に説明した部材と同一の場合は同一の番号を付する。即ち、端部基材片２９ｂのＹ方向長さは、基本形基材片１１及び逆形基材片１２の長片部１４のＹ方向長さＡと等しく、端部基材片２９ａのＹ方向長さＢより長い。そして、Ｕ型溝３２は、端部基材片２９ｂの他方のＹ方向端部側で端部基材片２９ｂの側面を貫通することなく両外側の溝１０同士が円弧を形成し、内側の溝１０同士が円弧を形成している。なお、端部基材片２９ｂのＹ方向一方の端部側では、４条の溝１０が等間隔で配されている。即ち、端部基材片２９ｂのＵ型溝３２と基本形基材片１１及び逆形基材片１２のＪ型溝は、連通可能である。
【００５６】
直線状の中間基材片３０は、幅（Ｘ方向長さ）が端部基材片２９と等しく、Ｙ方向長さは１尺（３０３ｍｍ）の整数倍である。これにより、本実施形態では、暖房領域拡大のために中間基材片３０を用いたとしても、建築に用いられる標準単位（寸，尺等）を乱すことなくＹ方向長さを延伸させることができる。また、図５（ｃ）に示す様に、中間基材片３０の表面ｖには、Ｙ方向に貫通した４条の直線溝（溝１０）３３が設けられている。直線溝３３は、隣接する直線溝３３同士が、等間隔で配されている。即ち、中間基材片３０は、基本形基材片１１，逆形基材片１２又は端部基材片４をＹ方向上下にそれぞれ配した場合であっても、溝１０を連続させることができる。そのため、溝１０に沿って容易に放熱管８を取り付けることができる。
【００５７】
放熱管８は、熱媒あるいは冷媒を流通可能なものであり、可撓性に優れ、機械強度、耐熱性、耐薬品性などにも優れている必要がある。具体例としては、架橋ポリエチレン管（チューブ）、ポリブテン管（チューブ）などである。放熱管８の外径は、３．０〜１１．０ｍｍで、内径が２．０〜７．０ｍｍの範囲で選ぶことができる。なお、本実施形態では、放熱管８の外径が７．２ｍｍ、内径が５ｍｍとされ、本体部材２に形成された溝１０の幅は、段部４５より表面側が７．５〜８．５ｍｍ、段部４５から溝１０の底部までが７．０ｍｍ程度に狭副して設計されている。溝１０の深さは、放熱管８の外径より若干長い程度の長さである。なお、本実施形態では、放熱管８に架橋ポリエチレン管が採用されている。
【００５８】
放熱シート２２は、図２に示す様に、床仕上げ材６１と本体部材２との間に挟まれる薄いシートで、放熱管８の熱を効率的且つ均等に床仕上げ材６１に伝導可能なものである。即ち、放熱シート２２は、熱伝導率が高い部材が好ましく、具体例を挙げると、アルミニウム箔などの金属箔、アルミニウム箔と不織布との積層体、プラスチックフィルムにアルミニウムなどの金属を蒸着したものなどである。なお、本実施形態では、放熱シート２２に厚みが４０μｍのアルミニウム箔が採用されている。
【００５９】
また、放熱シート２２の下部には補助シート２６が配されており、放熱シート２２と接していない放熱管８の溝１０の底面側の熱を回収するものである。具体例は、前記した放熱シート２２と略同様である。なお、本実施形態では、補助シート２６に１００μｍのアルミニウム箔が採用されている。
また、補助シート２６は、図２，３に示す様に、１条ずつ、直線部分の溝１０に設けられ、溝１０面と放熱管８及び放熱シート２２と基材片３の表面に挟まれるように配されている。これにより、省エネルギーを伴った熱効率が高い床暖房用温水マット１を提供できる。
【００６０】
次に、本実施形態の床暖房用温水マット１の組み立て構造について説明する。
【００６１】
床暖房用温水マット１は、図１に示す様に、溝１０が形成れた複数の基材片３と小根太状部材９により構成された本体部材２に放熱管８が配されて、図２に示す様に、床下地材６２の上部に配置されている。
【００６２】
具体的には、小根太状部材９は、一条の小根太状長片部５と１個の小根太状短片部６が直線状に配されて形成されており、住宅における敷設範囲を想定した一定の外枠内に５つの小根太状部材９が平行に並べられて平面を６つのエリア３５〜４３に分割している。また、基材片３は、基本形基材片１１と逆形基材片１２と補助基材片１３があり、各エリアの一部を構成している。
【００６３】
従って、図３に示す様に、基本形基材片１１ｂは、エリア３５とエリア３６に跨って配置され、基本形基材片１１ａがエリア３７とエリア３８及びエリア３９とエリア４０及びエリア４１とエリア４２に跨って配置されており、基本形基材片１１ａ，１１ｂ及び逆形基材片１２の端面ｒと内側面ｆにそれぞれ補助基材片１３の中間基材片３０が溝１０が連続するように配されている。そして、補助基材片１３の端部基材片２９ａが、エリア３５の中間基材片３０のＹ方向上部に溝１０が連続するように配され、逆形基材片１２がエリア３６とエリア３７及びエリア３８とエリア３９及びエリア４０とエリア４１及びエリア４２とエリア４３に跨るように溝１０が連続するように配されている。エリア４３では、逆形基材片１２の内側面ｆに中間基材片３０が溝１０が連続するように配されている。そして、端部基材片２９ｂが、中間基材片３０のＹ方向下部に溝１０が連続するように配されている。なお、基本形基材片１１及び逆形基材片１２は、エリア番号の若い方に長片部１４が位置している。
【００６４】
そして、本体部材２に設けられた溝１０の直線部１８に補助シート２６が配され、溝１０の全長に渡るように放熱管８が取り付けられている。具体的には、放熱管８は溝１０の段部４５に狭持され固定されている。これにより、放熱管８と溝１０の底部には僅かな隙間が形成され、放熱管８の温度が基材片３側に逃げないようにされている。
また、放熱管８は、温水ヘッダー７に接続されており、当該基本形基材片１１ｂの外側面ｋ側の１条の放熱管８が分断されて接続されている。即ち、一方の放熱管８が往き側、他方の放熱管８が戻り側となり温水が循環する。なお、温水ヘッダー７には、外部から温水が供給される往き側供給管（図示しない）及び戻り側排出管（図示しない）が接続されている。
【００６５】
そして、図２に示す様に、本体部材２の表面を放熱シート２２が覆って本体部材２に一体性を持たせ、当該放熱シート２２上部に床仕上げ材６１が敷設されている。
従って、本実施形態の床暖房用温水マット１は、基本形基材片１１ｂの長片部１４に温水ヘッダー７用の大切り欠き部２８が設けられており、長片部１４のＹ方向長さを調整可能とされている。そのため、温水ヘッダー７の大きさに応じて大切り欠き部２８の大きさが変化しても、長片部１４のＹ方向長さを長く調整できるため、大切り欠き部２８近傍の剛性を一定以上維持することができる。そのため、本体部材２を予め工場内で製造して、施工現場に搬入するまであるいは搬入の際に衝撃を受けて破損させることがない。
また、本実施形態では、基本形基材片１１の長片部１４あるいは短片部１５と、逆形基材片１２の短片部１５あるいは長片部１４を合致させた際の小根太状部材９に沿った合計長さが、６０６ｍｍに設計されている。そのため、長片部１４の長さを調整しても、本体部材２の基準尺度を乱さない設計ができるため、住宅への汎用性が高い床暖房用温水マット１を提供できる。即ち、本実施形態の床暖房用温水マット１によれば、住宅の床面積の６０％以上、好ましくは７０％以上を埋め尽くすことができる形状に容易に形成することができる。
【００６６】
即ち、基本形基材片１１の長片部１４又は短片部１５と、逆形基材片１２の短片部１５又は長片部１４との間に中間基材片３０を挟んだＹ方向長さは次式を満足する。なお、前記より、長片部１４のＹ方向長さをＡ，短片部１５のＹ方向長さをＢ，中間基材片３０のＹ方向長さをＣとし、床暖房用温水マット１のＹ方向全体長さをＹとする。
【００６７】
【数２】
2010230284.tif 000004
【００６８】
上記した実施形態の床暖房用温水マット１は、前記した様に３畳敷の日本家屋の部屋に敷設されるものであるが、直線状の中間基材片３０を追加することによって床暖房用温水マット１の全長を延ばすことができる。直線状の中間基材片３０は、幅（Ｘ方向長さ）が端部基材片２９と等しく、Ｙ方向長さは基本寸法たる１尺（３０３ｍｍ）の整数倍であるから、暖房領域拡大のために中間基材片３０を用いたとしても、建築に用いられる標準単位（寸，尺等）を乱すことはなく、前記した式を満足する。
また逆に中間基材片３０を除いても、建築に用いられる標準単位（寸，尺等）を乱すことはなく、前記した式を満足する。
【００６９】
また前記した実施形態は、基本形基材片１１と逆形基材片１２とを４個ずつ辺部に設けて対向させたものである。即ち前記した実施形態では、基本形基材片１１と逆形基材片１２とを４組対向させている。
しかしながら、対向させる組数を変更することによって、床暖房用温水マットの幅を変更することができる。
【００７０】
図６は、先の実施形態の床暖房用温水マット１から、基本形基材片１１と逆形基材片１２とを１組だけ対向させて全体の幅を縮めた変形例である。即ち、図６に示す床暖房用温水マット５０は、１畳の大きさであり、本構成を複合体として採用することで、日本家屋のあらゆる大きさに応用できる。即ち、３畳敷や６畳敷等の日本家屋の部屋に適応させることが容易にできる。
本実施形態の床暖房用温水マット５０は、部屋の形状に合致できるように組み合わせが容易な構成であり、縦の長さが１８１８ｍｍ、横方向の長さが８６４ｍｍである。
【００７１】
図７は、基本形基材片１１ａと逆形基材片１２とを３組ずつ対向させて全体の幅を縮め、中間基材片３０を取り除いて全長を短くした例である。
即ち、図７に示す床暖房用温水マット５１は、先の実施形態の床暖房用温水マット１から、中間基材片３０を除きエリアを３つ減縮したもので、中間基材片３０を用いないで基本形基材片１１ａと逆形基材片１２のみで構成されるものである。即ち、本構成と上記した構成を複合して採用することで規格外の日本家屋の部屋にも適応できるように敷設されるものである。
本実施形態の床暖房用温水マット５１は、縦の長さが６０６ｍｍ、横方向の長さが１７７３ｍｍである。
【００７２】
図８に示す床暖房用温水マット５２は、図７に示した構成に中間基材片３０を追加した例である。本構成も、前記同様、他の複合体と組み合わせて規格外の日本家屋の部屋に適応できる。
【００７３】
上記実施形態では、長片部１４と短片部１５との合計が基準尺度の２倍の６０６ｍｍとなる構成を示したが、本発明はこれに限定されるわけではなく、長片部１４と短片部１５との合計が基準尺度の３倍以上であっても構わない。
要するに前記した式を満足すればよい。
【００７４】
上記実施形態では、温水ヘッダー７に外側面ｋ側の１条の放熱管８のみを接続させた構成を示したが、本発明はこれに限定されるわけではなく、公知の温水ヘッダーを用いて、２条以上の放熱管８を当該温水ヘッダーに接続する構成であっても構わない。
【００７５】
上記実施形態では、基材片３同士が接する面を小根太状部材９に対して垂直形状にした構成を示したが、本発明はこれに限定されるわけではなく、小根太状部材９に対して交差する角度であれば垂直形状でなくても構わない。
【００７６】
上記実施形態では、小根太状部材９を５つ用いて６つのエリアを形成した構成を示したが、本発明はこれに限定されるわけではなく、小根太状部材９を４つ以下あるいは６つ以上用いて、５つ以下あるいは７つ以上のエリアを形成した構成であっても構わない。
【００７７】
上記実施形態では、中間基材片３０を各エリア３５〜４０に１つずつ配置した構成を示したが、本発明はこれに限定されるわけではなく、２つ以上の中間基材片３０を配する構成であっても構わない。
【符号の説明】
【００７８】
１    床暖房用温水マット
２    本体部材
３    基材片
４    端部基材片（基材片）
８    放熱管
９    小根太状部材
１０    溝
１１    基本形基材片（基材片）
１２    逆形基材片（基材片）
１３    補助基材片（基材片）
１４    長片部
１５    短片部
２５    繋ぎ部
５０    床暖房用温水マット
５１    床暖房用温水マット
５２    床暖房用温水マット
６１    床仕上げ材
６２    床下地材
【図１】
2010230284.tif 000006
【図２】
2010230284.tif 000007
【図３】
2010230284.tif 000008
【図４】
2010230284.tif 000009
【図５】
2010230284.tif 000010
【図６】
2010230284.tif 000011
【図７】
2010230284.tif 000012
【図８】
2010230284.tif 000013
【図９】
2010230284.tif 000014
【図１０】
2010230284.tif 000015